(57)【要約】【課題】扉を開けずに手動操作式商品搬出機構を動作させることができ、且つ電気駆動式商品排出機構の動作モードに容易に戻すことができる自動販売機の提供。【解決手段】自動販売機の本体キャビネット内にワイヤー５９が這い廻されており、このワイヤー５９のＵ字状垂下部５９Ａがソレノイド２１に掛けられたフック部４１に引掛けられている。ワイヤー５９はガイド部７７内で別のワイヤー７３で繋がっている。このワイヤー５９にガイド部７７内でバネ８５の一端が連結され、バネ８５の他端はガイド部７７に固定されている。従って、掴み部６５を引張ってフック部４１を持上げて商品を取出し可能にした後に、掴み部６５を離すと、バネ８５から引き戻し力を得るので、ワイヤー７３を本体キャビネットの外に引き出すために、ワイヤー５９が内部の角隅部６に当っていても、ワイヤー５９はスムーズに引き戻され、フック部４１が確実に下動する。【選択図】        図９
2014092895.tif 000002
【特許請求の範囲】
【請求項１】
前面に開口を有する本体キャビネットと、前記本体キャビネットの開口を開閉自在に閉鎖する扉部とを有し、前記本体キャビネット内に、プランジャを下方に向けたソレノイドと、前記プランジャにフック部が掛止され、前記プランジャの上動に連動して弾性的に復元可能に上動するリンク部材と、前記フック部の上動により商品収容通路から退避動作するストッパとでなる電動式商品排出機構を有する自動販売機において、
手動操作式商品搬出機構として、前記本体キャビネットの内部の隙間を利用して、一端側が固定され、中間部がＵ字状に垂下して前記フック部に引掛けられ、他端側が再び垂下し、更に方向を変えて前記本体キャビネットを横切るよう這い廻された上で、外に引き出されたワイヤーラインと、
前記ワイヤーラインの横切っている部分に介装され、前記ワイヤーラインが外に引き出された側から引張られると、前記ワイヤーラインに引き戻し力を付与するワイヤー引き戻し手段を備えることを特徴とする手動操作式商品搬出機構を備えた自動販売機。
【請求項２】
請求項１に記載した手動操作式商品搬出機構を備えた自動販売機において、
ワイヤー引き戻し手段は、一端側がワイヤーラインに連結され、他端側が本体キャビネット側に固定された状態で前記ワイヤーラインに並列したバネによって構成されており、前記ワイヤーラインが引張られると、前記バネが伸長して前記ワイヤーラインに引き戻し力を付与することを特徴とする自動販売機。
【請求項３】
請求項２に記載した手動操作式商品搬出機構を備えた自動販売機において、
両端側に複数の通し孔が互いに対向した状態で形成された通し孔部を備えたガイド部が本体キャビネット内に取り付けられており、
複数のワイヤーラインが前記ガイド部の対向する通し孔にそれぞれ通されると共に、それぞれのワイヤーラインの一対一対応で相方となるバネが前記ガイド部内に配され、各バネの一端側が相方のワイヤーラインに連結され、他端側が前記ガイド部に固定されていることを特徴とする自動販売機。
【請求項４】
請求項３に記載した手動操作式商品搬出機構を備えた自動販売機において、
ワイヤーラインは前記ガイド部で分断され、それぞれの分断側にあるワイヤーの折返し部が継手を介して連結されており、バネの一端側がこの折返し部に共に結束されることで固定されていることを特徴とする自動販売機。
【請求項５】
請求項１から４のいずれかに記載した手動操作式商品搬出機構を備えた自動販売機において、
本体キャビネットの側面に開閉可能な扉を有するボックスが横付けされ、さらに前記扉をロックするロック手段が備えられており、前記本体キャビネットから引き出されたワイヤーラインの他端部側は前記ボックス内に収容されていることを特徴とする自動販売機。
【発明の詳細な説明】
【技術分野】
【０００１】
本発明は飲料缶等の商品の自動販売機に係り、特に震災等で電力の供給が停止した場合でも手動操作により商品を取り出すことができる手動操作式商品搬出機構を備えた自動販売機に関するものである。
【背景技術】
【０００２】
通常、自動販売機内では、本体キャビネット内で上下方向に延びた商品収容通路に商品が一列に積み重なった状態で収容されており、待機中は商品収容通路にストッパが進行して商品の下方への移動は規制されているが、コインや紙幣が投入されると、当該ストッパが後退して商品の下方への移動が許容され、落下移動した商品が商品取出し口に排出されるように構成されている。
このストッパは、電力を駆動源とするソレノイドにより駆動されて後退動作するので、震災等の災害時に停電するとソレノイドが作動せず、自動販売機から商品を取り出すことができなくなる。
【０００３】
而して、最近では、自動販売機を備蓄倉庫として活用して、震災等の非常時に対応させることが提案されている。この提案に応えて、電力を供給できないときでも、手動操作によって自動販売機から商品を取り出すことができる手動操作式商品搬出機構を備えた自動販売機が開発され、これが特許文献１に記載されている。
通常、自動販売機は、ストッパ側にフック部を設け、このフック部をソレノイドのプランジャの下端部に引っ掛けてソレノイドからの駆動力を受けて上動するようになっていることから、特許文献１では、ワイヤーをこのフック部に引掛けながら巻き回し、ワイヤーの他端部に設けられた摘み部を引張り下げると、フック部を持ち上げられるように工夫されている。
【先行技術文献】
【特許文献】
【０００４】
【特許文献１】特開２０１２−６８９２５号公報
【発明の概要】
【発明が解決しようとする課題】
【０００５】
而して、掴み部は自動販売機の内部にあるので、掴み部を使用するときには、扉を開かなればならないが、掴み部を一旦離せば、フック部は付勢により下動してしまうので、非常時には、誰もが商品を取り出せるように、扉を開けっ放しにすることになる。
然るに、扉の内面側には金銭が収納された金銭収容部が備えられており、扉を開いたままにしておくのは防犯上好ましくない。
【０００６】
一方、掴み部を自動販売機の内部から引き出すとなると、その引出し口は横側になるので、上下方向に垂れて延びていたワイヤーを曲げ、商品収容通路の下側を横切らせて引出すことになる。そのため、掴み部を引張った後に離しても、ワイヤーの弛みが角隅部で留まり、フック部まで伝わり難くなる場合がある。その場合には、フック部が持ち上げられたままとなるので、非常態勢を解除して、ソレノイドを利用した電気駆動式商品排出機構の動作モードに戻すことができない。
【０００７】
本発明は上記従来の問題に着目して為されたものであり、扉を開けずに手動操作式商品搬出機構を動作させることができ、且つ、電気駆動式商品排出機構の動作モードに容易に戻すことができる自動販売機を提供することを、その目的とする。
【課題を解決するための手段】
【０００８】
本発明は上記課題を解決するためになされたものであり、請求項１の発明は、前面に開口を有する本体キャビネットと、前記本体キャビネットの開口を開閉自在に閉鎖する扉部とを有し、前記本体キャビネット内に、プランジャを下方に向けたソレノイドと、前記プランジャにフック部が掛止され、前記プランジャの上動に連動して弾性的に復元可能に上動するリンク部材と、前記フック部の上動により商品収容通路から退避動作するストッパとでなる電動式商品排出機構を有する自動販売機において、手動操作式商品搬出機構として、前記本体キャビネットの内部の隙間を利用して、一端側が固定され、中間部がＵ字状に垂下して前記フック部に引掛けられ、他端側が再び垂下し、更に方向を変えて前記本体キャビネットを横切るよう這い廻された上で、外に引き出されたワイヤーラインと、前記ワイヤーラインの横切っている部分に介装され、前記ワイヤーラインが外に引き出された側から引張られると、前記ワイヤーラインに引き戻し力を付与するワイヤー引き戻し手段を備えることを特徴とする手動操作式商品搬出機構を備えた自動販売機である。
【０００９】
請求項２の発明は、請求項１に記載した手動操作式商品搬出機構を備えた自動販売機において、ワイヤー引き戻し手段は、一端側がワイヤーラインに連結され、他端側が本体キャビネット側に固定された状態で前記ワイヤーラインに並列したバネによって構成されており、前記ワイヤーラインが引張られると、前記バネが伸長して前記ワイヤーラインに引き戻し力を付与することを特徴とする自動販売機である。
【００１０】
請求項３の発明は、請求項２に記載した手動操作式商品搬出機構を備えた自動販売機において、両端側に複数の通し孔が互いに対向した状態で形成された通し孔部を備えたガイド部が本体キャビネット内に取り付けられており、複数のワイヤーラインが前記ガイド部の対向する通し孔にそれぞれ通されると共に、それぞれのワイヤーラインの一対一対応で相方となるバネが前記ガイド部内に配され、各バネの一端側が相方のワイヤーラインに連結され、他端側が前記ガイド部に固定されていることを特徴とする自動販売機である。
【００１１】
請求項４の発明は、請求項３に記載した手動操作式商品搬出機構を備えた自動販売機において、ワイヤーラインは前記ガイド部で分断され、それぞれの分断側にあるワイヤーの折返し部が継手を介して連結されており、バネの一端側がこの折返し部に共に結束されることで固定されていることを特徴とする自動販売機である。
【００１２】
請求項５の発明は、請求項１から４のいずれかに記載した手動操作式商品搬出機構を備えた自動販売機において、本体キャビネットの側面に開閉可能な扉を有するボックスが横付けされ、さらに前記扉をロックするロック手段が備えられており、前記本体キャビネットから引き出されたワイヤーラインの他端部側は前記ボックス内に収容されていることを特徴とする自動販売機である。
【発明の効果】
【００１３】
本発明の自動販売機によれば、扉を開けずに手動操作式商品搬出機構を動作させることができ、且つ、電気駆動式商品排出機構の動作モードに容易に戻すことができる。
【図面の簡単な説明】
【００１４】
【図１】本発明の実施の形態に係る手動操作式商品搬出機構を備えた自動販売機を扉を開いて本体キャビネット内部を開放した状態で示す図である。
【図２】図１の自動販売機の商品搬出機構の後面図及び側断面図である。
【図３】図２の手動操作式商品搬出機構を説明する斜視図である。
【図４】図２の手動操作式商品搬出機構のワイヤー引き戻し手段を説明する斜視図である。
【図５】本体キャビネットの外側にあるボックスの拡大斜視図である。
【図６】図５のボックスのロック手段の説明図である。
【図７】図２の商品搬出機構の通常時（電気駆動時）の商品取出しの動作状態を説明する後面図及び側断面図である。
【図８】図７でのガイド部内の状態を示す拡大図である。
【図９】図２の商品搬出機構の非常時（手動操作時）の商品取出しの動作状態を説明する後面図である。
【図１０】図９でのガイド部内の状態を示す拡大図である。
【図１１】図１０後のワイヤー引き戻し手段の動作によるワイヤーの引き戻し軌跡の説明図である。
【発明を実施するための形態】
【００１５】
本発明の実施の形態に係る手動操作式商品搬出機構を備えた自動販売機１を図面にしたがって説明する。
この自動販売機１は、既存の自動販売機に後付けで部品を取り付けて手動式商品搬出機構を備えさせたものである。
先ず、自動販売機１の全体構成と商品搬出動作を説明する。
図１に示すように、符号３は本体キャビネットを示し、この本体キャビネット３はボックス状を為し、前面が開口している。この本体キャビネット３には上下方向に延びる商品収容通路５が左右前後方向に複数設けられており、各商品収容通路５には商品、この実施の形態では飲料缶Ｃが横倒され、上下方向に一列に積み重ねられて収容されている。この商品収容通路５の上方が飲料缶Ｃの商品補充部７になっている。また、商品収容通路５の下端には隙間をあけて商品排出シュート９が連設されている。
【００１６】
本体キャビネット３の左側縁部には内扉１１と外扉１３とが回動自在に連結されている。内扉１１は断熱性で閉鎖すると商品収容通路５に対向する。外扉１３の下部には商品取出口１５が設けられており、商品収容通路５から商品排出シュート９を介して搬出された飲料缶Ｃは内扉１１の下部に形成された開口（図示省略）を通って、外扉１３の商品取出口１５に排出される。
商品取出口１５の上側には、硬貨投入口、硬貨返却口、紙幣挿入口等に対応して貨幣や紙幣が収納された金銭収容部１６が設けられている。
【００１７】
次に、この自動販売機１の電気駆動式商品排出機構について、図２、図３にしたがって説明する。
符号１７は後方から見て縦長矩形状の基板であり、図１に示すように、商品収容通路５の後面側の下部に配置されて商品収容通路５の一部を構成している。この基板１７には矩形状の大きな開口部１９が形成されている。
この基板１７の後面の上部側に電気的駆動源としてのソレノイド２１が取り付けられている。このソレノイド２１のフレーム２３は矩形状をしており、このフレーム２３の内方にコイル部２５が設けられ、そこからプランジャ２７が昇降自在に伸びている。このプランジャ２７の下端側には掛止用穴２９が形成されている。上記ソレノイド２１は、コイル部２５への通電による励磁によりプランジャ２７が上方に吸引されるようになっている。
【００１８】
基板１７の開口部１９には２本のリンク軸３１、３３と支持軸３５とが互いに平行に横方向に架設されており、リンク軸３１、３３はいずれも上下方向に移動可能になっている。また、リンク軸３３と支持軸３５との間にはスプリング３７が架け渡されてリンク軸３３は下方に弾性的に付勢されている。
符号３９はリンク部材を示し、このリンク部材３９は全体として縦長の薄板状をしており、この上部は前側に折り曲げられてフック部４１となっている。このフック部４１がソレノイド２１のプランジャ２７に形成された掛止用穴２９に後側から差し込まれて連結されている。また、リンク部材３９の左右両側縁は後側に折曲げられて立ち上がった突出部が設けられており、そこに形成された穴にリンク軸３１、３３が通されている。
上記した構成により、非通電時には、リンク軸３１、３３は、スプリング３７の下方への弾性付勢力により下方の位置にあり、通電時には、リンク軸３１、３３はリンク部材３９の引き上げにより上方の位置にくる。そして、通電が終了すると、弾性的に復元されて下方の位置に戻る。
【００１９】
支持リンク４３側では、リンク軸３１の上動により、支持軸４５を支点として回動して前方に突出すると共に、支持リンク４３に掛かった上側ストップ４７を逆方向に回動させながら持上げる。
また、下側ストッパ４９側では、この下側ストッパ４９が支持軸５１を支点として回動するようになっている。下側ストッパ４９に連結したストッパ側リンク片５３が支持軸側リンク片５５とリンクピン５７によって係合しており、支持軸側リンク片５５が支持軸３５を中心として回動可能なっているので、リンク軸３３の上動により、予め設けられている退避方向への付勢手段に抗して、リンク片５３、５５どうしが開き、これに伴って下側ストッパ４９が、予め設けられている突出方向への付勢手段が開放されて前方に突出する。
【００２０】
上記した各部の構成・動作により、ソレノイド２１のコイル部２５に通電されていない待機時には、リンク軸３１、３３は下方の位置にあり、上側ストッパ４７及び支持リンク４３は後方に後退して、飲料缶Ｃには関与せず、下側ストッパ４９は前方の突出位置で、その上に載った飲料缶Ｃの自重に抗してその下方への移動を規制する。
そして、販売時には、ソレノイド２１のコイル２５部に通電されて、リンク軸３１の上動により、上側ストッパ４７は前方の商品収容通路５に突出して、最下段の飲料缶Ｃとその上の飲料缶Ｃとの間に入り込んで、その上の飲料缶Ｃの下方への移動を規制する。一方、リンク軸３３の上動により、下側ストッパ４９は係合支持が解除され、その上に載った飲料缶Ｃの自重に負けて後退する。そして、その飲料缶Ｃは下方に移動して搬出される。
その飲料缶Ｃの排出が終了すると、下側ストッパ４９は前方に再び突出しその位置で維持されると共に、上側ストッパ４７が後退して、その上に載っていた飲料缶Ｃが下側ストッパ４９まで落下してその上に載って待機状態となる。
このようにして、飲料缶Ｃは下段側から１つずつ排出される。
【００２１】
次に、自動販売機１の手動操作式商品排出機構について説明する。
手動操作式商品排出機構は、上記した電気駆動式排出機構の構成部品を一部借りて構成されている。
図２において符号５９は１本の長い這い廻し用ワイヤーを示し、この這い廻し用ワイヤー５９の一端側は２本の剛性の金属製パイプ６１Ｒ，６１Ｌに摺動自在に収容され、他端側は２本の軟性の合成樹脂製パイプ６３Ｒ，６３Ｌに摺動自在に収容されている。この合成樹脂製パイプ６３は上記した金属製パイプ６１よりも大径であり、中間部では合成樹脂製パイプ６３Ｌの端部が金属製パイプ６１Ｒの端部に被さっている。
【００２２】
這い廻し用ワイヤー５９は一端がソレノイド２１のコイル部２５の上側の中間部で金属製パイプ６１Ｌと共に止着されて基端となっている。そこから、コイル部２５を途中フック部４１に引掛けられながら反時計周りに周回して戻ってくる。図３の拡大図に示すように、這い廻し用ワイヤー５９は、金属製パイプ６１Ｒ、Ｌの間で露出した部分がフック部４１に引掛けられて、Ｕ字状垂下部５９Ａが作られている。
ソレノイド２１のフレーム２３の四隅にはネジ孔６７、６７、６９、６９が作られており、後方からフレーム２３のコの字状に相似した若干小さい固定板（図示省略）が当てられ、後側からネジ孔６７、６９にネジ（図示省略）が螺合され締付けられる。
それにより、這い廻し用ワイヤー５９はフレーム２３側ではネジをガイドとして上記した軌道に保持されており、金属製パイプ６１Ｒ、Ｌ間では露出したＵ字状垂下部５９Ａだけが垂みから緊張へ、またはその逆へと可逆的に変えられるようになっている。
【００２３】
這い廻し用ワイヤー５９は、さらに、左側で垂下して長く延びており、さらに、商品収容通路５の下側の角隅部６に沿って方向を変えてから、商品取出しに邪魔にならないよう後側に寄せられた状態で、本体キャビネット３内を横切って外に引き出されている。
【００２４】
図４に示すように、這い廻し用ワイヤー５９の他端部は折り返されて折返し部５９Ｂになっており、この折返し部５９Ｂに圧着スリープ７１によりループ状に結束されている。
符号７３は引出し用ワイヤーを示し、この引出し用ワイヤー７３の一端部も折り返されて折返し部７３Ａになっており、同様にこの折返し部７３Ａにも圧着スリープ７１によりループ状に結束されている。
引出し用ワイヤー７３の他端側は合成樹脂製パイプ６３Ｒに通されており、更にその先端側では掴み部６５が取り付けられている。
這い廻し用ワイヤー５９と引出し用ワイヤー７３のそれぞれの折返し部５９Ｂ、７３Ａには継手７５に掛けられ連結されて、１本のワイヤーラインになっている。
【００２５】
符号７７はガイド部を示し、上面に長方形の開口を有する浅い箱型に形成されている。このガイド部７７の左側板７７ａには、６つの丸孔７９が形成されている。これらの丸孔７９は等間隔に並んで配置されている。各丸孔７９の直ぐ上には小孔８１が形成されている。
また、右側板７７ｂにも６つの丸孔８３が形成され、これらの丸孔８３も等間隔に並んで配置されている。丸孔７９と丸孔８３は、同じサイズで、且つ一対一対応で対向している。側板７７ａ、７７ｂは通し孔部であり、そこに形成された丸孔７９、８３が通し孔となっている。これらがガイド部７７の底板７７ｃ、前側板７７ｄ、後側板７７ｅを介して隔てられている。
【００２６】
這い廻し用ワイヤー５９は他端側が左側板７７ａの丸孔７９を通ってガイド部７７内に入り込んでおり、引出し用ワイヤー７３は一端側が右側板７７ｂの丸孔８３を通ってガイド部内に入り込んでいる。
従って、それぞれの折返し部５９Ｂ、７３Ａはガイド部内にある。なお、這い廻し用ワイヤー５９側と引出し用ワイヤー７３側の合成樹脂製パイプ６３はそれぞれガイド部７７の外側にあり、その外径は丸孔７９、８３よりも大きいので、ガイド部７７内に入ってくることはない。
【００２７】
符号８５はコイル状のバネを示し、このバネ８５の一端側の直線部８５Ａは小孔８１に通された上で折り返され固定されている。バネ８５の他端側の直線部８５Ｂは引出し用ワイヤー７３の折返し部７３Ａを結束する圧着スリープ７１の中に入り込んでおり、圧着スリープ７１と共に結束されて連結されている。この連結により、ガイド部７７内では、バネ８５が這い廻し用ワイヤー５９乃至引出し用ワイヤー７３と続く一直線状ワイヤーラインと並列した状態となる。
上記したワイヤーライン、ガイド部７７、及びバネ８５によってワイヤー引き戻し手段が構成されている。
【００２８】
図４では、１本のワイヤーラインについて図示されているが、丸孔は６組用意されており、６本のワイヤーラインについて利用できる。商品収容通路は複数あり、各別にワイヤーラインを設けることになるが、ガイド部７７を上記したように構成したことにより、複数のワイヤーラインを絡ませたりせずに、各別にワイヤー引き戻し手段を介装させることができる。
【００２９】
本体キャビネット３の右側面には丸穴８７が形成されており、この丸孔８７を介して本体キャビネット３の内部と外とが連通している。丸孔８７は図１に示すように、商品収容通路５の下側で横方向に延びたワイヤーラインの延長上にある。
図５で符号８９はボックスを示し、このボックス８９は丸孔８７を囲むように横付けされている。ボックス８９の底面には丸孔８７と同軸状に同じ大きさの開口９１が形成されており、その開口９１から引き出し用ワイヤー７３が引き出されている。図６に示すように、ボックス８９には扉９３が開閉自在に取り付けられており、扉９３にはロック機構９５と鍵穴９７が形成されている。従って、鍵９９が鍵穴９７に差し込まれて所定の方向に回転されるとロック機構９５が働いてロックされる。
【００３０】
次に、電気駆動時の手動操作式商品搬出機構の状態を説明する。
ソレノイド２１による電気駆動により、リンク部材３９が上下動するが、図２に示すように、リンク部材３９が下方の待機位置にあるときには、這い廻し用ワイヤー５９のＵ字状垂下部５９Ａは軽く弛んだ状態でフック部４１に軽く引掛けられている。そして、リンク部材３９が上動するときには、Ｕ字状垂下部５９Ａはフック部４１の上動に干渉しない。
図７に示すように、飲料缶Ｃを落下させて取り出すときに、Ｕ字状垂下部５９Ａがフック部４１から外れて弛みが大きくなるが、上記したように、フック部４１に向かって付勢されているので、プランジャ２７と基板１７との間の隙間に回り込むことはない。そのため、回り込みによるワイヤーの摩耗や手動動作の故障の心配が無い。そして、リンク部材３９が下動すると、這い廻し用ワイヤー５９のＵ字状垂下部５９Ａは再びフック部４１に軽く引掛けられた状態となる。また、角隅部６では、合成樹脂製パイプ６３Ｌは若干弛んでいる。
図８に示すように、ガイド部７７内ではバネ８５は伸張していない。
【００３１】
次に、手動操作式商品搬出機構の動作を説明する。
図６に示すように、ボックス８９の鍵穴９７に鍵９９を差し込んで回し、ロックを解除する。次に、扉９３を開けると、図５に示すように、本体キャビネット３内から掴み部６５が露出しているので、それを指で掴んで引張ると、這い廻し用ワイヤー５９は合成樹脂製パイプ６３と金属製パイプ６１の間を摺動して引き出される。それと共に、Ｕ字状垂下部５９Ａが緊張してフック部４１を引き上げる。このフック部４１の引き上げにより、後は電気駆動式商品搬出機構と同様にして飲料缶Ｃが取り出される。
【００３２】
掴み部６５を離せば、リンク部材３９はスプリング３７の弾性付勢力により下降して待機時の下方位置に戻る。
このとき、手動操作式商品搬出機構は図１０に示すように伸張したバネ８５には弾性付勢力が蓄積されているので、掴み部６５を離すと、図１１に示すように、合成樹脂製パイプ６３Ｌが角隅部６で方向が変更されていても、バネ８５からの引き戻し力が這い廻し用ワイヤー５９に付与され、矢印に示す方向に勢いが付き、角隅部６側で方向が変更されても、スプリング３７とバネ８５の二方向からの引き戻し力を得て、這い廻し用ワイヤー５９もスムーズに引き戻される。従って、リンク部材３９も待機時の下方位置へ確実に戻り、再び電気駆動による商品取り出しができる。
【００３３】
以上、本発明の実施の形態について詳述してきたが、具体的構成は、この実施の形態に限られるものではなく、本発明の要旨を逸脱しない範囲における設計の変更などがあっても発明に含まれる。
例えば、本実施の形態ではボックス８９の扉９３を鍵９９でロックしているが、扉９３をロックできるものであれば、どのようなものでもよく、例えば南京錠でもよい。
【産業上の利用可能性】
【００３４】
本発明の自動販売機によれば、電気駆動式商品搬出機構を備えた自動販売機に後付けで手動操作式商品搬出機構を備えさせることができる。
【符号の説明】
【００３５】
１‥‥手動操作式商品搬出機構を備えた自動販売機
３‥‥本体キャビネット                ５‥‥商品収容通路
６‥‥（商品収容通路の）角隅部
７‥‥商品補充部                      ９‥‥商品排出シュート
１１‥‥内扉                          １３‥‥外扉
１５‥‥商品取出口                    １７‥‥基板
１９‥‥開口部                        ２１‥‥ソレノイド
２３‥‥フレーム                      ２５‥‥コイル部
２７‥‥プランジャ                    ２９‥‥掛止用穴
３１、３３‥‥リンク軸                ３５‥‥支持軸
３７‥‥スプリング                    ３９‥‥リンク部材
４１‥‥フック部                      ４３‥‥支持リンク
４５‥‥支持軸                        ４７‥‥上側ストッパ
４９‥‥下側ストッパ                  ５１‥‥支持軸
５３‥‥ストッパ側リンク片            ５５‥‥支持軸側リンク片
５７‥‥リンクピン                    ５９‥‥這い廻し用ワイヤー
５９Ａ‥‥（ワイヤーの）Ｕ字状垂下部  ５９Ｂ‥‥（ワイヤーの）折返し部
６１‥‥金属製パイプ                  ６３‥‥合成樹脂製パイプ
６５‥‥掴み部
６７、６９‥‥ネジ孔                  ７１‥‥圧着スリープ
７３‥‥引出し用ワイヤー              ７３Ａ‥‥（ワイヤーの）折返し部
７５‥‥継手                          ７７‥‥ガイド部
７７ａ‥‥左側板                      ７７ｂ‥‥右側板
７７ｃ‥‥底板                        ７７ｄ‥‥前側板
７７ｅ‥‥後側板                      ７９‥‥丸孔
８１‥‥小孔                          ８３‥‥丸孔
８５‥‥バネ                          ８７‥‥（本体キャビネットの）丸孔
８９‥‥ボックス                      ９１‥‥開口
９３‥‥扉                            ９５‥‥ロック機構
９７‥‥鍵穴                          ９９‥‥鍵
Ｃ‥‥飲料缶
【図１】
2014092895.tif 000003
【図２】
2014092895.tif 000004
【図３】
2014092895.tif 000005
【図４】
2014092895.tif 000006
【図５】
2014092895.tif 000007
【図６】
2014092895.tif 000008
【図７】
2014092895.tif 000009
【図８】
2014092895.tif 000010
【図９】
2014092895.tif 000011
【図１０】
2014092895.tif 000012
【図１１】
2014092895.tif 000013